(57)【要約】【課題】  少ない量の洗濯水でも効率高い洗濯が可能であり、ヒータの駆動に必要な消費電力を最小限に抑えられるドラム洗濯機の制御方法を提供する。【解決手段】  本発明のドラム洗濯機の制御方法は、給水バルブ１４２をオンにするとともに循環ポンプ１５６とヒータ１７０をオンにし、前記給水バルブ１４２をオンにした後に前記給水バルブ１４２をオフにし、前記給水バルブ１４２をオフにした後に前記循環ポンプ１５６とヒータ１７０をオフにし、前記給水バルブ１４２及び循環ポンプ１５６とヒータ１７０のオンと、前記給水バルブ１４２のオフと、前記循環ポンプ１５６及びヒータ１７０のオフが順次的に複数回反復されることを特徴とする。【選択図】      図３
2005052632.tif 000002
【特許請求の範囲】
【請求項１】
タブに洗濯水が給水されるように給水バルブをオンにするとともにタブ内の洗濯水がドラムの内側に循環されるように循環ポンプをオンにする第１段階と；
前記給水バルブをオンにしてから第１設定時間が経過したり、洗濯水が第１設定水位以上になると、前記給水バルブをオフにする第２段階と；
前記給水バルブをオフにしてから第２設定時間が経過したり、洗濯水が第２設定水位未満になると、前記循環ポンプをオフにする第３段階と；を含めて構成され、
前記第１段階と第２段階と第３段階は順次的に複数回繰り返されることを特徴とするドラム洗濯機の制御方法。
【請求項２】
前記第１段階は、前記第３段階の循環ポンプをオフにしてから第３設定時間が経過すると行われることを特徴とする請求項１に記載のドラム洗濯機の制御方法。
【請求項３】
前記ドラム洗濯機の制御方法は、前記第１段階と第２段階と第３段階が少なくとも２回以上順次的に繰り返された後、ドラムが回転されるようにモータをオンにする第４段階をさらに含めてなることを特徴とする請求項１に記載のドラム洗濯機の制御方法。
【請求項４】
前記ドラム洗濯機の制御方法は、前記モータをオンにしてから第３設定時間が経過すると、前記循環ポンプをオンにする第５段階をさらに含めてなることを特徴とする請求項３に記載のドラム洗濯機の制御方法。
【請求項５】
前記ドラム洗濯機の制御方法は、前記第５段階の後に第４設定時間が経過すると、前記モータ及び循環ポンプをオフにする第６段階をさらに含めてなることを特徴とする請求項４に記載のドラム洗濯機の制御方法。
【請求項６】
前記第１段階ないし第６段階は、洗い行程またはすすぎ行程に際してそれぞれ行われることを特徴とする請求項５に記載のドラム洗濯機の制御方法。
【請求項７】
タブに洗濯水が給水されるように給水バルブをオンにするとともにタブ内の洗濯水がドラムの内側に循環されるように循環ポンプをオンにし、タブ内の洗濯水が加熱されるようにヒータをオンにする第１段階と；
前記給水バルブをオンにしてから第１設定時間が経過したり、洗濯水が第１設定水位以上になると、前記給水バルブをオフにする第２段階と；
前記給水バルブをオフにしてから第２設定時間が経過したり、洗濯水が第２設定水位未満になると、前記循環ポンプをオフにする第３段階と；を含めて構成され、
前記第１段階と第２段階と第３段階は順次的に複数回繰り返されることを特徴とするドラム洗濯機の制御方法。
【請求項８】
前記第１段階は、前記第３段階の循環ポンプをオフにしてから第３設定時間が経過すると行われることを特徴とする請求項７に記載のドラム洗濯機の制御方法。
【請求項９】
前記ドラム洗濯機の制御方法は、前記第１段階と第２段階と第３段階が少なくとも２回以上順次的に繰り返された後、ドラムが回転されるようにモータをオンにする第４段階をさらに含めてなることを特徴とする請求項７に記載のドラム洗濯機の制御方法。
【請求項１０】
前記ドラム洗濯機の制御方法は、前記モータをオンにしてから第３設定時間が経過すると、前記循環ポンプをオンにする第５段階をさらに含めてなることを特徴とする請求項９に記載のドラム洗濯機の制御方法。
【請求項１１】
前記ドラム洗濯機の制御方法は、前記第５段階の後に第４設定時間が経過すると、前記モータ及びポンプをオフにする第６段階をさらに含めてなることを特徴とする請求項１０に記載のドラム洗濯機の制御方法。
【請求項１２】
前記第１段階ないし第６段階は、洗い行程またはすすぎ行程に際してそれぞれ行われることを特徴とする請求項１１に記載のドラム洗濯機の制御方法。
【発明の詳細な説明】
【技術分野】
【０００１】
本発明は、ドラム洗濯機に関し、特に、少量の洗濯水を供給し加熱して洗濯機に供給される洗濯水を減らすことができ、洗濯水の加熱に必要な消費電力を節減できるドラム洗濯機の制御方法に関する。
【背景技術】
【０００２】
一般に、ドラム洗濯機は、タブ内に供給された洗濯水と洗剤の作用によりドラムに受容された衣服、寝具類などに付いた汚れを落とすために洗い、すすぎ、脱水の行程を行い被洗濯物を洗浄する装置のことをいう。
図５は、従来の技術に係るドラム洗濯機の内部構成図である。
【０００３】
従来のドラム洗濯機は、図５に示すように、ベース１と、このベース１の上側に配置されて外形を形成し、前面に被洗濯物ｍが出入できるように出入穴２ａが形成された筐体２と、該筐体２の前面に回動可能に取り付けられて前記出入穴２ａを開閉するドア４と、前記筐体２の内部に緩衝可能に支持されたタブ６と、該タブ６の内部に洗剤の溶解された水または清浄な水(以下、‘洗濯水ｗ’と称する)を供給する給水装置１０と、前記タブ６内の洗濯水ｗを筐体２の外部に排水する排水装置１２と、前記タブ６内に回動可能に配置されて被洗濯物ｍが受容されるドラム２０と、該ドラム２０を回動させるモータ３０と、を含めて構成される。
【０００４】
前記タブ６は、前記ドラム２０の内部への被洗濯物ｍの入出のために前記筐体２の出入穴２ａの後方に出入穴７が形成される。
前記ドラム２０は、被洗濯物ｍの出し入れのために前記筐体２の出入穴２ａの後方に出入穴２１が形成され、その下部が前記タブ６内の洗濯水に浸るように配置され、前記タブ６内の洗濯水ｗが出入できるように複数個の水穴２２が円周部または背面部に形成される。
また、前記ドラム２０の内周面には受容された被洗濯物ｍがドラム２０の内側上部に持ち上げられてから自重により落下するように被洗濯物ｍをリフティングするベーン２６が取り付けられる。
【０００５】
前記モータ３０は、前記タブ６の背面部に取り付けられ、回転軸３２が前記タブ６の背面部中央を貫いてドラム２０の背面部中央に連結されるように水平または水平に近く配置される。
また、前記ドラム洗濯機では、前記タブ６内の洗濯水を加熱するための洗濯水加熱装置が設けられるが、前記タブ６の内側下部にはヒータ８が取り付けられて洗濯水を加熱し被洗濯物ｍの洗浄力を増大させる。
未説明符号４８は、前記タブ６に装着されてドア４の閉じ時に前記ドア４とタブ６の出入穴７による漏水を防ぐガスケットである。
【０００６】
次に、上記のように構成された従来の技術の動作を図６を参照して詳細に説明する。
まず、前記ドラム２０の内部に被洗濯物ｍを投入した後、前記ドア４を閉じ、ドラム洗濯機を作動すると、前記給水装置１０は前記タブ６の内側下部に洗濯水ｗを供給する。
このとき、前記給水装置１０は、前記ドラム２０の下端より高い水位ｈまで洗濯水を供給して前記ドラム２０の下部が洗濯水に十分に浸るようにし、洗濯水は前記ドラム２０の水穴２２または出入穴２１を通じてドラム２０内に流入され、被洗濯物ｍを浸す。(Ｓ１)
【０００７】
その後、前記モータ３０が駆動され前記ドラム２０が回転すると、被洗濯物ｍは前記ベーン２６により持ち上げられてから落下しながら洗濯水ｗと洗剤の作用により付いている汚れが落ちる。(Ｓ２)
一方、このような給水または洗濯が進行されるとき前記ヒータ８は電源が印加されて洗濯水ｗを加熱するが、このヒータ８により加熱された洗濯水は洗剤の溶解度が増大し被洗濯物ｍに付いている汚れとの反応が促進されるため、被洗濯物ｍに付いている汚れをより迅速で清潔に落とすことができる。
【０００８】
前記のような洗い行程が終了した後、前記タブ６内の汚れた洗濯水ｗは、前記排水装置１２を通じて前記ドラム洗濯機の外部に排水される。(Ｓ３)
その後、前記ドラム洗濯機は、洗濯物ｍに残っているバブルをすすぐためのすすぎ行程が行われる。つまり、前記給水装置１０は、前記洗い行程におけると同様に、前記ドラム２０の下端より高い水位ｈまで洗濯水を供給し、洗濯水は前記ドラム２０の水穴２２または出入穴２１を通じてドラム２０内に流入されて被洗濯物ｍを浸し、前記モータ３０は前記ドラム２０を回転させると、前記ドラム２０内の被洗濯物ｍは前記ベーン２６により持ち上げられてから落下しながらバブルが落ちる。(Ｓ４、Ｓ５)
【０００９】
このような給水またはすすぎ行程が進行されるとき前記ヒータ８には電源が印加されて洗濯水ｗを加熱し、前記ヒータ８により加熱された洗濯水はより迅速に被洗濯物ｍに残っているバブルを落す。
そして、バブルを含む汚れた洗濯水は前記排水装置１２を通じて外部に排水される。(Ｓ６)
このような給水とすすぎと排水が数回行われた後、前記モータ３０が前記ドラム２０を高速回転させると前記ドラム２０内の被洗濯物ｍは遠心脱水されて水気が除去される。(Ｓ７、Ｓ８、Ｓ９、Ｓ１０)
【００１０】
ところで、かかる従来のドラム洗濯機の制御方法によれば、洗濯に実際に必要とされる洗濯水より多い量の洗濯水を一定水位ｈまで給水するので、洗濯水が過剰消費される問題点があった。
また、従来のドラム洗濯機の制御方法は、前記ヒータが多量の洗濯水を加熱するので、エネルギーの消耗が多いという問題点があった。
【発明の開示】
【発明が解決しようとする課題】
【００１１】
本発明は、上記の従来技術の問題点に鑑みてなされたものであり、ドラム洗濯機に供給される洗濯水の量を減らすことができるドラム洗濯機の制御方法を提供することにその目的がある。
本発明の他の目的は、エネルギー効率の高いドラム洗濯機の制御方法を提供することにある。
【課題を解決するための手段】
【００１２】
上記の目的を達成するために、本発明に係るドラム洗濯機の制御方法は、タブに洗濯水が給水されるように給水バルブをオンにするとともにタブ内の洗濯水がドラムの内側に循環されるように循環ポンプをオンにする第１段階と；前記給水バルブをオンにしてから第１設定時間が経過したり、洗濯水が第１設定水位以上になると、前記給水バルブをオフにする第２段階と；前記給水バルブをオフにしてから第２設定時間が経過したり、洗濯水が第２設定水位未満になると、前記循環ポンプをオフにする第３段階と；を含めて構成され、前記第１段階と第２段階と第３段階は順次的に複数回繰り返されることを特徴とする。
【００１３】
また、本発明に係るドラム洗濯機の制御方法は、タブに洗濯水が給水されるように給水バルブをオンにするとともにタブ内の洗濯水がドラムの内側に循環されるように循環ポンプをオンにし、タブ内の洗濯水が加熱されるようにヒータをオンにする第１段階と；前記給水バルブをオンにしてから第１設定時間が経過したり、洗濯水が第１設定水位以上になると、前記給水バルブをオフにする第２段階と；前記給水バルブをオフにしてから第２設定時間が経過したり、洗濯水が第２設定水位未満になると、前記循環ポンプをオフにする第３段階と；を含めて構成され、前記第１段階と第２段階と第３段階は順次的に複数回繰り返されることを特徴とする。
【発明の効果】
【００１４】
本発明に係るドラム洗濯機の制御方法は、給水バルブをオンにすると同時に循環ポンプをオンにし、また、前記給水バルブをオンにした後に前記給水バルブをオフにし、前記給水バルブをオフにした後に前記循環ポンプをオフにし、前記給水バルブ及び循環ポンプのオン、前記給水バルブのオフ、前記循環ポンプのオフが順次的に複数回繰り返されるために、少量の洗濯水が被洗濯物に迅速で充分に吸収され、少ない量の洗濯水でも効率よい洗濯が可能になる利点がある。
【００１５】
また、本発明に係るドラム洗濯機の制御方法は、給水バルブをオンにすると同時に循環ポンプとヒータをオンにし、前記給水バルブをオンにした後に前記給水バルブをオフにし、前記給水バルブをオフにした後に前記循環ポンプとヒータをオフにし、前記給水バルブ及び循環ポンプとヒータのオン、前記給水バルブのオフ、前記循環ポンプ及びヒータのオフが順次的に複数回繰り返されるために、少ない量の洗濯水でも効率よい洗濯が可能になり、ヒータの駆動に必要な消費電力が最小限に抑えられる利点がある。
【発明を実施するための最良の形態】
【００１６】
以下、添付図面を参照しつつ本発明に係るドラム洗濯機の制御方法の実施例を詳細に説明する。
図１は、本発明に係るドラム洗濯機の一実施例を示す部分切開斜視図であり、図２は、本発明に係るドラム洗濯機の一実施例を示す内部構成図である。
【００１７】
本実施例によるドラム洗濯機は、図１及び図２に示すように、ベース１０３の上側にキャビネット１０４が取り付けられ、キャビネット１０４の前面に被洗濯物出入穴１０５ａが形成されたキャビネットカバー１０５が取り付けられ、キャビネットカバー１０５に被洗濯物出入穴１０５ａを開閉するためのドア１０９が回動可能に取り付けられ、キャビネット１０４の上面にトッププレート１０６が取り付けられ、該トッププレート１０６の上面またはキャビネットカバー１０５の上部に洗濯機の洗い、すすぎ、脱水行程などを選択するために使用者が操作する運転操作パネル１０７が配設される。
【００１８】
前記ベース１０３の上側にはタブ１１０がバネ１０３ａまたはダンパー１０４ａにより緩衝可能に支持される。
前記タブ１１０は、横たわった円筒からなり、前記キャビネットカバー１０５の被洗濯物出入穴１０５ａの後方に開口穴１１２が形成され、該開口穴１１２の円周前方には前記ドア１０９と密着されるシーリング部を持つガスケット１１４が設けられる。
前記タブ１１０の内部空間には被洗濯物が受容されるためのドラム１２０がタブ１１０の内面と離れて配設される。
【００１９】
前記ドラム１２０は、横たわった円筒からなり、前面部に被洗濯物ｍの出し入れのための出入穴１２１が形成され、ドラムの円周面または背面に洗濯水が出入できるように複数個の水穴１２２が形成され、ドラム内周面には洗濯物ｍを持ち上げてから落下させるベーン１２３が取り付けられる。
前記タブ１１０には、前記ドラム１２０を支持し且つ回転させるモータ１３０が取り付けられる。つまり、前記モータ１３０は、回転軸１３１が前記タブ１１０の背面部を貫きながらタブ１１０に支持され、その先端が前記ドラム１２０の背面に連結される。
前記タブ１１０の上側には、その内部に洗濯水を供給する給水装置が設けられる。
【００２０】
前記給水装置は、外部ホース１４１に連結され、この外部ホース１４１から供給される清浄な水を断続する給水バルブ１４２と、該給水バルブ１４２を通過した水を案内する給水ホース１４２’と、該給水ホース１４２’を通じて供給される水をあらかじめ格納しておいた洗剤と混合した後排出するように洗剤格納空間と給水通路と排出口とが形成された洗剤函１４３と、前記洗剤函１４３から排出する水または洗剤を前記タブ１１０の内部に案内するように一端が前記洗剤函１４３の排出口に連結され、他端が前記タブ１１０の上部一側に形成された給水口に連結された給水ベローズ管１４４と、を含めて構成される。
【００２１】
また、前記タブ１１０の下側には洗濯水を排水させるための排水口１１５が形成され、前記排水口１１５には排水された洗濯水を案内する排水ベローズ管１４８が連結される。
前記排水ベローズ管１４８には、前記タブ１１０から前記排水口１１５と排水ベローズ管１４８を通じて排水された水をポンピングして外部に排出したり、前記ドラム１２０の内部に再び循環させるポンプユニット１５０が連結される。
前記ポンプユニット１５０は、フィルターケース１５２、排水ポンプ１５４、循環ポンプ１５６を含めてなる。
【００２２】
前記フィルターケース１５２には、前記排水ベローズ管１４８が連結される連結口が形成され、洗濯水の通過する流路が前記排水ポンプ１５４及び循環ポンプ１５６と連通するように形成され、洗濯水内に混在している糸屑などの異物をフィルタリングするためのフィルター(図示せず)が装着される。
前記排水ポンプ１５４には筐体１０２の外部に延設される排水ホース１５５が連結され、洗濯機での排水に際して前記ポンプケース１５２に流入された水を前記排水ホース１５５を介して外部に排水させる。
【００２３】
前記循環ポンプ１５６には、前記ガスケット１１４の上側まで延設される循環ホース１６０が連結され、洗濯機での洗いまたはすすぎ行程に際して前記フィルターケース１５２に流入された水を前記循環ホース１６０にポンピングさせる。
前記循環ホース１６０は、その一端が前記ガスケット１１４の上側に隣接して配置される。
【００２４】
前記循環ホース１６０には、案内された洗濯水をドラム１２０内に噴射させるように前記ガスケット１１４の上部に貫通設置され、前記ドラム１２０の内部に向かって開放されたノズルを持つ噴射口１６２が連結される。
また、前記タブ１１０の内部下側には洗濯水を加熱するための電熱ヒータ１７０が取り付けられる。
一方、本実施例の洗濯機には、給水された洗濯水の水位を感知する水位感知装置が設けられる。
【００２５】
前記水位感知装置は、排水ベローズ管１４８の一側に連結された水位感知ベローズ管１８０と、該水位感知ベローズ管１８０に下端が通じるように連結され、内部に水位感知ベローズ管１８０に満ちてくる水の水位にしたがって圧力が作用する空気が満ちたエアチャンバー１８２と、該エアチャンバー１８２の一側に下端が連結された水位感知用チューブ１８４と、該水位感知用チューブ１８４の上端が連結され、水位感知チューブ１８４内の空気圧力を感知して水位を感知する水位センサー１８６と、を含めて構成される。
未説明符号１９０は、運転操作パネル１０７の操作と水位センサー１８６で感知された洗濯水の水位に基づいてモータ１３０、給水バルブ１４２、排水ポンプ１５４、循環ポンプ１５６、及びヒータ１７０をオン/オフ制御する制御部である。
【００２６】
次に、上記のように構成された本発明の動作を詳細に説明する。
図３は、本発明に係るドラム洗濯機の制御方法の第１実施例を示す順序図である。
まず、前記ドラム１２０の内部に被洗濯物を投入した後コース及び行程などを入力し前記ドラム洗濯機を作動させると、前記制御部１９０は、洗い行程が選択されたか否か確認し、洗い行程が選択されたら、前記給水バルブ１４２をオンにするとともに、前記循環ポンプ１５６をオンにする。(Ｓ１０１)
【００２７】
外部ホース１４１を通じて供給された洗濯水は、前記給水バルブ１４２がオンになると、給水バルブ１４２と給水ホース１４２’を通じて前記洗剤函１４３に流入され、前記洗剤函１４３を通過した後前記タブ１１０内に給水される。
前記タブ１１０の内部に給水された洗濯水ｗは、前記タブ１１０の排水口１１５を経てフィルターケース１５２と排水ベローズ管１４８に排水され、フィルターケース１５２と排水ベローズ管１４８から満ちてくる。
【００２８】
このような洗濯水ｗは前記循環ポンプ１５６によりポンピングされて循環ホース１６０と噴射口１６２を経由してドラム１２０の内部に噴射され、被洗濯物ｍを素早く濡らす。
一方、前記制御部１９０は、前記給水バルブ１４２が少量の洗濯水のみを給水するように前記給水バルブ１４２を制御するので、前記給水バルブ１４２をオンしてから第１設定時間Ｔ1が経過したり、給水された洗濯水の水位ｈが第１設定水位ｈ1以上になると、前記給水バルブ１４２をオフにする。(Ｓ１０２、Ｓ１０３)
【００２９】
ここで、前記第１設定時間Ｔ1と前記第１設定水位ｈ1は、前記循環ポンプ１５６がポンピングさせられる程度の洗濯水が給水されるように設定されるものであり、給水された洗濯水の水位がドラム１２０の下端より低くなるように設定されることが好ましい。
前記給水バルブ１４２がオフになると、前記タブ１１０とフィルターケース１５２と排水ベローズ管１４８にはそれ以上の新しい洗濯水は給水されず、前記フィルターケース１５２と排水ベローズ管１４８に残っていた洗濯水は前記循環ポンプ１５６によりポンピングされてドラム１２０内に噴射され、被洗濯物ｍを濡らす。
【００３０】
つまり、前記給水バルブ１４２がオフになり、前記循環ポンプ１５６が洗濯水を続けてドラム１２０内に噴射することによって被洗濯物ｍに吸収された洗濯水ｗの量は次第に多くなり、循環ポンプ１５６により循環される洗濯水ｗの量は次第に減ることになる。
前記制御部１９０は、前記給水バルブ１４２をオフにしてから第２設定時間Ｔ2が経過したり、洗濯水の水位ｈが第２設定水位ｈ2未満になると、前記循環ポンプ１５６をオフにする。(Ｓ１０４、Ｓ１０５)
【００３１】
ここで、前記第２設定水位ｈ2は前記第１設定水位ｈ1より低く設定される。
前記循環ポンプ１５６がオフになった後、被洗濯物ｍに吸収された洗濯水の一部は被洗濯物ｍと分離されてドラム１２０の水穴１２２を通じてタブ１１０の内側下部に集まり、フィルターケース１５２または排水ベローズ管１４８内に溜まる。
その後、前記制御部１９０は、前記循環ポンプ１５６の動作のために足りない分だけ洗濯水を再給水させるが、前記循環ポンプ１５６がオフになってから第３設定時間Ｔ3が経過したら、前記給水バルブ１４２及び循環ポンプ１５６のオン/オフ回数あるいは洗濯水の水位ｈに基づいて洗濯水を再給水するか否か判断し、この判断結果に基づいて前記給水バルブ１４２及び循環ポンプ１５６のオン、給水バルブ１４２のオフ、及び循環ポンプ１５６のオフを繰り返し行うか否か決定する。(Ｓ１０６、Ｓ１０７)
【００３２】
つまり、前記制御部１９０は、前記給水バルブ１４２及び循環ポンプ１５６のオン/オフ回数が設定回数(例えば、４回)以上になったり、給水された洗濯水の水位ｈが第３設定水位ｈ3以上になるまで上述したような給水バルブ１４２及び循環ポンプ１５６のオン、給水バルブ１４２のオフ、及び循環ポンプ１５６のオフを繰り返し行うようにする。
ここで、前記第３設定水位ｈ3は、前記第１設定水位ｈ1より高く設定される。
本実施例による前記ドラム洗濯機は、上述のように洗濯水が給水、再給水されることによって洗濯水が被洗濯物ｍに迅速で充分に浸透されるため、少ない量の洗濯水ｗでも効率高い洗濯が可能になる。
【００３３】
前記制御部１９０は、前記給水バルブ１４２及び循環ポンプ１５６のオン/オフ回数が設定回数(例えば、４回)以上になったり、給水された洗濯水の水位ｈが第３設定水位ｈ3以上になると、上記のような洗濯水の再給水を中止し、前記ドラム１２０が回転されるようにモータ１３０をオンにする。(Ｓ１０８)
前記モータ１３０のオンによって前記ドラム１２０は回転され、被洗濯物ｍは前記ベーン１２３によって持ち上げられてから落下しながら洗濯水ｗの作用により付いている汚れが落ちるようになる。
【００３４】
一方、このようなドラム１２０の回転が行われる間、被洗濯物ｍに吸収されていた洗濯水ｗの一部がドラム１２０の水穴１２２を通じてタブ１１０で集まり、フィルターケース１５２または排水ベローズ管１４８内に溜まる。
前記制御部１９０は、前記モータ１３０をオンにしてから第４設定時間Ｔ4が経過すると前記循環ポンプ１５６を再びオンにする。(Ｓ１０９、Ｓ１１０)
前記循環ポンプ１５６のオンによりフィルターケース１５２または排水ベローズ管１４８内に溜まっていた洗濯水ｗは前記循環ポンプ１５６によりポンピングされて前記ドラム１２０の内部に噴射され、噴射された洗濯水は被洗濯物ｍに吸収されて被洗濯物ｍの重量を増大させ、重量の増大された被洗濯物ｍはその落下力が増大して洗濯性能がさらに向上する。
【００３５】
前記制御部１９０は、上記のように循環ポンプ１５６がオンになってから第５設定時間が経過すると、前記モータ１３０と循環ポンプ１５６をオフにし、洗い行程を終了する。(Ｓ１１１、Ｓ１１２)
その後、前記制御部１９０は、前記排水ポンプ１５４を所定時間の間オンにして汚れた洗濯水を排水ホース１５５を通じて外部に排水させた後、排水ポンプ１５４をオフにする。(Ｓ１１３)
【００３６】
前記制御部１９０は、上記のような給水、再給水、洗濯、排水が行われた後、すすぎ行程が選択されたか否かを確認し、すすぎ行程が選択されたら、前記洗い行程におけると同様に、給水、再給水、すすぎ、排水を少なくとも１回以上繰り返し行う。
本実施例による前記ドラム洗濯機では、すすぎ行程においても同様に、洗濯水ｗが被洗濯物ｍを迅速で充分に濡らすため、給水される洗濯水ｗの総量は減る。
その後、前記制御部１９０は脱水行程が選択されたか否かを確認し、脱水行程が選択されたら、前記モータ１３０を所定時間の間高速にオンさせ被洗濯物ｍに残っている水気を遠心脱水する。
【００３７】
図４は、本発明に係るドラム洗濯機の制御方法の第２実施例を示す順序図である。
図４に示すように、まず、前記ドラム１２０の内部に被洗濯物を投入した後、コース及び行程などを入力し、前記ドラム洗濯機を作動すると、前記制御部１９０は、洗い行程が選択されたか否かを確認し、洗い行程が選択されたら、前記給水バルブ１４２をオンにするとともに前記ヒータ１７０をオンにし、また、前記循環ポンプ１５６をオンにする。(Ｓ２０１)
【００３８】
外部ホース１４１を通じて供給された洗濯水は、本発明の第１実施例におけると同様に、前記タブ１１０の内部に給水され、前記タブ１１０の内側下部でヒータ１７０により加熱され、前記タブ１１０の排水口１１５を通じてフィルターケース１５２と排水ベローズ管１４８に満ちてくる。
前記フィルターケース１５２と排水ベローズ管１４８内の洗濯水ｗは、前記循環ポンプ１５６のオン作動により、循環ホース１６０と噴射口１６２を通じてドラム１２０の内部に噴射され、被洗濯物ｍを素早く濡らす。
【００３９】
一方、前記制御部１９０は、本発明の第１実施例におけると同様に、前記給水バルブ１４２が少量の洗濯水のみを給水するように前記給水バルブ１４２を制御するが、前記給水バルブ１４２の制御に関する詳細な説明は、本発明の第１実施例におけると同様なので以下では省略するものとする。(Ｓ２０２、Ｓ２０３)
前記給水バルブ１４２をオフにすると、前記タブ１１０とフィルターケース１５２と排水ベローズ管１４８にはそれ以上の新しい洗濯水は給水されず、前記フィルターケース１５２と排水ベローズ管１４８に残っていた洗濯水は前記循環ポンプ１５６によりポンピングされてドラム１２０の内部に噴射され、被洗濯物ｍを濡らすことになる。
【００４０】
すなわち、前記給水バルブ１４２がオフになり、前記循環ポンプ１５６が洗濯水を続けてドラム１２０内部に噴射することによって、被洗濯物ｍに吸収された洗濯水ｗの量は次第に多くなり、循環ポンプ１５６により循環される洗濯水ｗの量は次第に減ることになる。
一方、前記ヒータ１７０は、前記タブ１１０の内側下部に落下された少量の洗濯水ｗのみを加熱するので洗濯水ｗをより迅速に加熱でき、効率が高い他にもヒータ駆動に必要な消費電力を低減させることができる。
【００４１】
前記制御部１９０は、前記給水バルブ１４２をオフしてから第２設定時間Ｔ2が経過したり、洗濯水の水位ｈが第２設定水位ｈ2未満になると、前記循環ポンプ１５６及びヒータ１７０をオフにする。(Ｓ２０４、Ｓ２０５)
前記循環ポンプ１５６のオフに関する説明は、本発明の第１実施例と同様なので省略するものとする。
【００４２】
その後、前記制御部１９０は、前記循環ポンプ１５６の動作のために足りない分だけの洗濯水を再給水することになるが、前記循環ポンプ１５６がオフになってから第３設定時間Ｔ3が経過すると、前記給水バルブ１４２、循環ポンプ１５６及びヒータ１７０のオン/オフ回数あるいは給水される洗濯水の水位ｈに基づいて洗濯水を再給水するか否か判断し、この判断結果に基づいて前記給水バルブ１４２、循環ポンプ１５６及びヒータ１７０のオン、給水バルブ１４２のオフ、循環ポンプ１５６とヒータ１７０のオフを繰り返し行うか否か決定する。(Ｓ２０６、Ｓ２０７)
【００４３】
つまり、前記制御部１９０は、前記給水バルブ１４２、循環ポンプ１５６及びヒータ１７０のオン/オフ回数が設定回数(例えば、４回)以上になると、給水された洗濯水の水位ｈが第３設定水位ｈ3以上になるまで上記のような給水バルブ１４２、循環ポンプ１５６及びヒータ１７０のオン、給水バルブ１４２のオフ、循環ポンプ１５６及びヒータ１７０のオフを繰り返し行う。
ここで、前記第３設定水位ｈ3は前記第１設定水位ｈ1より高く設定される。
【００４４】
本実施例の前記ドラム洗濯機は、上記のように洗濯水が給水、再給水されることによって洗濯水が被洗濯物ｍに迅速で充分に吸収され、少ない量の洗濯水ｗでも効率高い洗濯が可能になり、前記ヒータ１７０は、少量で給水される洗濯水ｗだけを加熱するので、洗濯水ｗを迅速に加熱でき、効率が高い他にもヒータ駆動に必要な消費電力を低減させることができる。
【００４５】
前記制御部１９０は、前記給水バルブ１４２及び循環ポンプ１５６のオン/オフ回数が設定回数(例えば、４回)以上になったり、給水される洗濯水の水位ｈが第３設定水位ｈ3以上になると、上記のような洗濯水の再給水及び加熱を中止し、前記ドラム１２０が回転されるようにモータ１３０をオンにする。(Ｓ２０８)
前記モータ１３０のオンにより前記ドラム１２０は回転され、被洗濯物ｍは、前記ベーン１２３により持ち上げられてから落下しながら洗濯水ｗの作用により付いている汚れが落ちるが、このとき、前記ヒータ１７０で加熱された洗濯水ｗが洗剤の溶解度を増加させ、被洗濯物ｍに付いている汚れとの反応を促進させるため、被洗濯物の洗浄力はさらに高まる。
【００４６】
一方、このようにドラム１２０の回転が行なわれる間、被洗濯物ｍに吸収されていた洗濯水ｗの一部がドラム１２０の水穴１２２を通じてタブ１１０で集まり、フィルターケース１５２または排水ベローズ管１４８内に溜まる。
前記制御部１９０は、前記モータ１３０をオンにしてから第４設定時間Ｔ4が経過すると前記循環ポンプ１５６を再びオンにする。(Ｓ２０９、Ｓ２１０)
前記循環ポンプ１５６のオンに関する詳細な説明は、本発明の第１実施例におけると同様なので省略するものとする。
【００４７】
前記制御部１９０は、上記のように循環ポンプ１５６がオンになってから第５設定時間Ｔ5が経過すると、前記モータ１３０と循環ポンプ１５６をオフにし、洗い行程を終了する。(Ｓ２１１、Ｓ２１２)
その後、前記制御部１９０は、前記排水ポンプ１５４を所定時間の間オンにして汚れた洗濯水を排水ホース１５５を通じて外部に排水させた後、排水ポンプ１５４をオフにする。(Ｓ２１３)
【００４８】
前記制御部１９０は、上記のような給水、再給水、洗い、排水が行われた後、すすぎ行程が選択されたか否か確認し、すすぎ行程が選択されたら、前記洗い行程におけると同様に給水、再給水、すすぎ、排水を少なくとも１回以上繰り返し行う。以降のすすぎ及び脱水行程は、本発明の第１実施例におけると同様なので、その詳細は省略するものとする。
勿論、本発明は、以上に述べた実施例に限定されず、前記給水バルブ１４２のオフを第１設定時間Ｔ1と第１設定水位ｈ1のいずれかで決定してもよく、前記循環ポンプ１５６またはヒータ１７０のオフを第２設定時間Ｔ2と第２設定水位ｈ2のいずれかで決定してもよく、また、洗濯水の再給水を設定回数と第３設定水位ｈ3のいずれかで決定してもよい。
【図面の簡単な説明】
【００４９】
【図１】本発明に係るドラム洗濯機の一実施例を示す部分切開斜視図である。
【図２】本発明に係るドラム洗濯機の一実施例を示す内部構成図である。
【図３】本発明に係るドラム洗濯機の制御方法の第１実施例を示す順序図である。
【図４】本発明に係るドラム洗濯機の制御方法の第２実施例を示す順序図である。
【図５】従来の技術に係るドラム洗濯機の内部構成図である。
【図６】従来の技術に係るドラム洗濯機の制御方法を示す順序図である。
【符号の説明】
【００５０】
１０４…キャビネット
１０５…キャビネットカバー
１０５ａ…被洗濯物出入穴
１０６…トッププレート
１０７…運転操作パネル
１０９…ドア
１２０…ドラム
１２２…水穴
１２３…ベーン
１４３…洗剤函
１５０…ポンプユニット
１５２…フィルターケース
１５４…排水ポンプ
１５５…排水ホース
１５６…循環ポンプ
１６０…循環ホース
【図１】
2005052632.tif 000003
【図２】
2005052632.tif 000004
【図３】
2005052632.tif 000005
【図４】
2005052632.tif 000006
【図５】
2005052632.tif 000007
【図６】
2005052632.tif 000008